(57)【要約】【課題】無線通信の受信感度を低下させることなく、低コスト、小型、コンパクトな画像形成装置を供給すること【解決手段】受信手段と受信手段で受信した画像情報を処理する画像制御部と、像担持体にトナー像を形成する画像形成部と、像担持体のトナー像を記録材に転写する転写手段と、未定着トナー像を担持した記録材を加熱加圧により定着する定着手段と、記録材を転写手段に向けて給紙する給紙手段と、対向配置した導電性の２枚の側板と、各種手段の回転動力を生成する回転動力生成手段と、回転動力生成手段からの動力を各手段に伝達する回転動力伝達手段と、一連の画像形成から記録材への画像定着を制御する画像形成制御部とを有する画像形成装置において、回転動力伝達手段は導電性の側板に配置し、受信手段は回転動力伝達手段を配置していない側板を切り取り、この切り取った部分に配置する。【選択図】図１
2006053477.tif 000002
【特許請求の範囲】
【請求項１】
ホストコンピュータからの無線による画像情報を受信する受信手段と受信手段で受信した画像情報を処理する画像制御部と、露光手段からの画像情報に応じた光を像担持体に露光させて潜像を形成し、潜像を現像手段により現像して像担持体にトナー像を形成する画像形成部と、像担持体のトナー像を記録材に転写する転写手段と、未定着トナー像を担持した記録材を加熱加圧により定着する定着手段と、記録材を前記転写手段に向けて給紙する給紙手段と、対向配置した導電性の２枚の側板と、各種手段の回転動力を生成する回転動力生成手段と、回転動力生成手段からの動力を各手段に伝達する回転動力伝達手段と、一連の画像形成から記録材への画像定着を制御する画像形成制御部とを有する画像形成装置において、
回転動力伝達手段は導電性の側板に配置し、受信手段は回転動力伝達手段を配置していない側板を切り取り、この切り取った部分に配置することを特徴とする画像形成装置。
【請求項２】
対向配置した導電性の２枚の側板はコの字型をしていることを特徴とする請求項１記載の画像形成装置。
【請求項３】
受信手段の位置は、正面の上面であることを特徴とする請求項１又は２記載の画像形成装置。
【請求項４】
画像制御部は、受信手段を含むことを特徴とする請求項３記載の画像形成装置。
【発明の詳細な説明】
【技術分野】
【０００１】
本発明は、記録媒体に画像を形成する画像形成装置に関する。ここで、画像形成装としては、例えば電子写真複写機、プリンタ、ワードプロセッサ、ファクシミリ装置等が含まれる。
【背景技術】
【０００２】
本発明は、電子写真方式やその他の記録方式を採用するレーザプリンタ、複写機等画像形成装置に関するものであるが、以下に画像形成装置の一例としてレーザビームプリンタを例に挙げて説明する。
【０００３】
従来のレーザビームプリンタの一例を図４及び図５を用いて説明する。
【０００４】
図４は従来例の画像形成装置の概略構成図である。
【０００５】
図４において、図示しない画像装置やコンピュータ等の画像信号発生装置から無線で送られた画像情報をアンテナ１３３で受信し、受信した画像情報を画像制御部１３１に送る。
【０００６】
１０４は有機感光体やアモルファスシリコン感光体で構成された感光ドラムであり、時計方向に所定の周速度（プロセススピード）をもって回転駆動される。この回転により感光体ドラム１０４は、帯電ローラ１０５によりその周面が所定の極性、電位に一様に帯電される。そして、その帯電面に、レーザ光学箱１０８から出力され、画像装置やコンピュータ等の画像信号発生装置（図示せず）から入力された目的の画像情報の時系列電気デジタル画素信号に対応して変調（オン／オフ変換）されたレーザ光が、レーザ光反射ミラー１０９によって変更されて照射されることにより、走査露光が行われ、画像情報に対応した静電潜像が形成される。
【０００７】
このように目的の画像に対応して形成された静電潜像は、現像器１０６により現像される。
【０００８】
これら一連の電子写真制御は画像形成制御部１３０で行われる。又、トナーカートリッジ１２１に内蔵している不揮発性メモリー１２０の値に応じて、画像形成制御部１３０は各種制御を行う。
【０００９】
次に、この感光ドラム１０４に対して、給紙カセット１０３から被記録材が給紙ローラ１０２により１枚給紙されることにより、前記被記録材に対して感光ドラム１０４側の鏡像トナー像が形成される。この転写ローラ１０７は、被記録材の背面からトナーと逆極性の電荷を供給することで、感光ドラム１０４から被記録材にトナー像を転写するものである。このようにトナー像の転写を受けた被記録材は、感光ドラム１０４から分離されて熱定着装置１１０へ送り込まれ、ヒータ１１１によってトナー像の熱定着を受ける。
【００１０】
熱定着を受けた被記録材は、ＤＣブラシレスモータ１３２により駆動されるＦＤローラ１１３により搬送され排紙トレイ１１４に排出される。
【００１１】
無線受信用のアンテナ１３３は、本体上面後方に配置する以外に図５に示す位置に配置してきた。
【００１２】
Ａ部の上面前方、Ｂ部の側面とその反対側、Ｃ部の正面、Ｅ部、Ｆ部である。
【発明の開示】
【発明が解決しようとする課題】
【００１３】
しかしながら、上記の従来例では、全方向から（前後と左右）の受信感度を向上させるために、図４に示すように受信部を画像形成装置から突出していた。このため、デザイン上、非常に見栄えが悪かった。
【００１４】
図４に示すアンテナの位置（図５ではＥ部）では定着器の真上になるため、熱の影響を受け、電子部品の寿命を低下させる。
【００１５】
図５（ａ）のＡ部とＤ部のように上面前方では、図５（ｂ）に示すように、ＣＲＧを装着するための開閉部に配置するために受信部と画像制御部とを接続する束線１３４の這い回し経路がＤ部に限定される上に、開閉してもＤ部で束線に損傷を与えないような処置を施すため、コストアップになった。
【００１６】
図５（ａ）のＣ部のように前面に配置すると後方からの無線に対して、受信感度が低下した。
【００１７】
図５（ａ）のＢ部のように側面に配置すると反対側からの受信感度が低下した。
【００１８】
図５（ａ）のＦ部のように上面に配置すると定着器１１０を通過した熱い印字紙Ｐがアンテナ１３３の上に積載される。このため、熱の影響を受け、電子部品の寿命を低下させる。
【００１９】
本発明は上記問題点に着目してなされたもので、無線通信の受信感度を低下させることなく、低コスト、小型、コンパクトな画像形成装置を供給することを目的としている。
【課題を解決するための手段】
【００２０】
上記目的を達成するため、本発明は、ホストコンピュータからの無線による画像情報を受信する受信手段と受信手段で受信した画像情報を処理する画像制御部と、露光手段からの画像情報に応じた光を像担持体に露光させて潜像を形成し、潜像を現像手段により現像して像担持体にトナー像を形成する画像形成部と、像担持体のトナー像を記録材に転写する転写手段と、未定着トナー像を担持した記録材を加熱加圧により定着する定着手段と、記録材を前記転写手段に向けて給紙する給紙手段と、対向配置した導電性の２枚の側板と、各種手段の回転動力を生成する回転動力生成手段と、回転動力生成手段からの動力を各手段に伝達する回転動力伝達手段と、一連の画像形成から記録材への画像定着を制御する画像形成制御部とを有する画像形成装置において、回転動力伝達手段は導電性の側板に配置し、受信手段は回転動力伝達手段を配置していない側板を切り取り、この切り取った部分に配置することを特徴とする。
【発明の効果】
【００２１】
本発明によれば、板金の前方上面を切り欠き、その部分に受信部を配置することで、印字画像の品質を低下することなく、コストアップすることなく、定着器と排出した印字紙の熱の影響を受けないので電子部品の信頼性を低下することなく、画像信号発生装置との信頼性の高い無線通信を実現できる。
【００２２】
又、画像形成装置の突出部がなく、小型でコンパクトな画像形成装置を提供できる。
【発明を実施するための最良の形態】
【００２３】
以下に本発明の一実施の形態を電子写真方式を採用した画像形成装置であるレーザビームプリンタを例に説明する。
【００２４】
図１は本実施の形態に係る画像形成装置の概略構成図である。
【００２５】
図１において、１０４は有機感光体やアモルファスシリコン感光体で構成された感光ドラムであり、時計方向に所定の周速度（プロセススピード）をもって回転駆動される。この回転感光体ドラム１０４は、帯電ローラ１０５によりその周面が所定の極性、電位に一様に帯電される。そして、その帯電面に、レーザ光学箱１０８から画像読取装置やコンピュータ等の画像信号発生装置（図示せず）から入力された目的の画像情報の時系列電気デジタル画素信号に対応して変調（オン／オフ変換）されたレーザ光が、レーザ光反射ミラー１０９によって変更されて照射されることにより、走査露光が行われ、画像情報に対応した静電潜像が形成される。
【００２６】
このように目的の画像に対応して形成された静電潜像は、現像器１０６により現像される。
【００２７】
これら一連の電子写真制御は画像形成制御部１３０で行われる。又、トナーカートリッジ１２１に内蔵している不揮発性メモリー１２０の値に応じて、画像形成制御部１３０は各種制御を行う。
【００２８】
次に、この感光ドラム１０４に対して、給紙カセット１０３から被記録材が給紙ローラ１０２により１枚給紙されることにより、前記被記録材に対して感光ドラム１０４側の鏡像トナー像が形成される。この転写ローラ１０７は、被記録材の背面からトナーと逆極性の電荷を供給することで、感光ドラム１０４から被記録材にトナー像を転写するものである。このようにトナー像の転写を受けた被記録材は、感光ドラム１０４から分離されて熱定着装置１１０へ送り込まれ、ヒータ１１１によってトナー像の熱定着を受ける。
【００２９】
熱定着を受けた被記録材は、ＤＣブラシレスモータ１３２により駆動されるＦＤローラ１１３により搬送され排紙トレイ１１４に排出される。
【００３０】
画像データは画像信号発生装置（図示せず）から無線で受信部１３３に送られる。受信部１３３で受信した画像データは画像制御部１３１に送られ、画像制御部１３１で画像処理をした信号に変換され、レーザ光学箱１０８に送られる。レーザ光学箱１０８は、この信号に応じて変調したレーザ光を感光ドラム１０４に照射することで画像に対応した静電潜像を生成する。
【００３１】
トナーカートリッジ１２１は、画像形成装置からの脱着が可能であり、画像形成装置に挿入時は接続部１２２と不揮発性メモリー１２０が接続され、画像形成制御部１３０と不揮発性メモリー１２０間で通信を行う。
【００３２】
図２は本実施の形態に係る画像形成装置の斜視図である。
【００３３】
両側にコの字の形をした板金１４０，１４１を配置し、この両板金１４０，１４１を画像形成制御部１３０とスキャナー板金１４３で橋渡しをする。両側の板金をコの字の形にすることで板金の強度を増している。スキャナー板金１４３上にはレーザ光学台１０８とトナーカートリッジ１２１上の不揮発性メモリー１２０との接続部１２２を配置する。板金１４０は、受信部用に画像形成装置の前方上面部に相当する位置を切り欠き、その部分にプラスチック製の保持部材１３５で受信部１３３を保持する。保持部材１３５をプラスチック製にすることで無線用電波を遮蔽しない。
【００３４】
又、板金１４０は画像制御部１３１も配置する。板金１４１にはブラシレスモータとＤＣブラシレスモータ１３２からの駆動力を伝達する複数のギアから構成する駆動伝達部１４２を配置する。
【００３５】
ここでは、ＤＣブラシレスモータ１３２で説明するが、モータの種類は問わない。例えば、ステッピングモータであっても良い。
【００３６】
図３は本発明の制御構成を示すブロック図である。
【００３７】
受信部１３３は、画像制御部１３１と画像信号発生装置（図示せず）から無線で送られた画像データは受信部１３３で受信される。受信部１３３で受信した画像データは画像制御部１３１に送られ、画像制御部１３１で画像処理をした信号に変換され、レーザ光学箱１０８に送られる。
【００３８】
ここでは、受信部１３３を画像制御部１３１から切り離して説明しているが、画像制御部１３１は受信部１３３を内蔵しても良い。
【００３９】
本実施の形態の位置に受信部１３３を配置することで、受信部１３３が画像形成装置から突出しない。
【００４０】
受信部１３３は、定着器１１０の真上でなく、距離も遠いため、定着器１１０の熱の影響を受けない。
【００４１】
更に、受信部１３３は、定着器１１０を通った熱い印字紙Ｐが真上に来ないので、定着器１１０の熱の影響を受けない。
【００４２】
従って、電気部品の寿命に影響を与えない。
【００４３】
受信部１３３は、ＣＲＧ１２１を装着するときの開閉部に配置していないため、束線の経路も限定されず、開閉したときに束線の損傷を防ぐ処置も必要ないため、コストアップしない。
【００４４】
正面、両側面、後方の各方向からの受信感度について以下に説明する。
【００４５】
正面は、板金１４０を切り欠いて無線電波の障害となる板金が受信部１３３の前方の近傍にないので、受信感度は良好である。
【００４６】
左側面は、無線電波の障害となる板金がないので、受信感度は良好である。
【００４７】
右側面は、板金１４０を切り欠いて無線電波の障害となる板金が受信部１３３の右部の近傍にないので、受信感度は良好である。
【００４８】
後方は、板金１４０を切り欠いて無線電波の障害となる板金が受信部１３３の上部の近傍にないので、受信感度は良好である。
【００４９】
次に、受信部１３３を板金１４１に配置した場合について説明する。
【００５０】
板金１４１にはＤＣブラシレスモータとＤＣブラシレスモータ１３２からの駆動力を伝達する複数のギアから構成する駆動伝達部１４２を配置している。駆動伝達部１４２は、コの字型にして強度を高めた板金１４１に取り付けることで駆動伝達部１４２の撓み、捩れ等を防止している。この捩れ、撓み等が発生すると動力を伝達している各印字紙の搬送ローラ、感光ドラム１０４の回転にムラができ、印字画像に悪影響を与える。このため、板金１４１において同じ位置を切り欠いて受信部１３３を配置すると、板金１４１の強度が低下し、印字画像に悪影響を与える。従って、受信部１３３は、板金１４１を切り欠いて配置することはできない。板金１４１を切り欠かずに受信部１３３を配置すると左側面からの受信感度が低下する。
【００５１】
以上のように、本実施の形態の位置に受信部１３３を配置すると、画像形成装置から突出することなく、印字画像に悪影響を与えず、受信感度を良好にすることができる。
【図面の簡単な説明】
【００５２】
【図１】本発明の実施の形態の構成を示す側面からの断面図である。
【図２】本発明の実施の形態の構成を示す斜視図である。
【図３】本発明の実施の形態の制御構成を示すブロック図である。
【図４】従来例の構成を示す側面からの断面図である。
【図５】本発明の実施例の構成を示す斜視図と側面図である。
【符号の説明】
【００５３】
１０２  給紙ローラ
１０４  感光ドラム
１０５  帯電ローラ
１０６  現像器
１０７  転写ローラ
１０８  レーザ光学箱
１０９  レーザ光反射ミラー
１１０  熱定着器
１１１  ヒータ
１１３  ＦＤローラ
１２０  不揮発性メモリ
１２１  トナーカートリッジ
１２２  接続部
１２３  高圧接点部
１２４  トナーカートリッジグランド
１３０  画像形成制御部
１３１  画像制御部
１３２  モータ
１３３  受信部
１３４  束線
１３５  保持部材
１４０  コの字の形をした板金
１４１  コの字の形をした板金
１４２  駆動伝達部
１４３  スキャナー板金
【図１】
2006053477.tif 000003
【図２】
2006053477.tif 000004
【図３】
2006053477.tif 000005
【図４】
2006053477.tif 000006
【図５】
2006053477.tif 000007